(57)【特許請求の範囲】
【請求項１】
本体台枠と、一定の長さを有する複数のブレードを円柱状に配列した羽根車単体を回転軸方向に組み合わせてなるクロスフローファンと、このクロスフローファンに近接・対向して位置するスタビライザと、流路を形成するリアガイダと、前面カバーと、熱交換器とから構成され、前記スタビライザは前記クロスフローファンの回転方向に延びて前記クロスフローファンとの距離が最短となる第１の突端を具備し、この第１の突端より前記クロスフローファンの回転方向の先端部にこの第１の突端と同形状でクロスフローファンとの距離を最短距離より大きくとる第２の突端を有するとともに、前記熱交換器は前記クロスフローファンの前面側と背面側に配置され、背面側に配置された熱交換器の除湿水処理をする水受け皿のツバは、前記クロスフローファンに対向して湾曲状、かつ、先端から下方に向けて徐々に断面厚さを増すように形成されたことを特徴とする空気調和機の室内ユニット。
【発明の詳細な説明】
【０００１】
【発明の属する技術分野】
本発明は空気調和機などに用いられる横断流送風機型送風回路及び構成に関するものである。
【０００２】
【従来の技術】
従来の横断流送風機型空気調和機は、特開平８−６１６８５号公報に記載されているように図６のような構成になっている。吸い込み口１と、吹き出し口２との間には送風路３が形成されており、この送風路３の内には前面カバー４の内面に沿わせて台枠５の天井まで移動させることのできる着脱自在なエアーフィルタ６と、熱交換器７と、その内部にファン８とファン８の背面に配設したリアガイダ９とその下方に配設したスタビライザ１０とが配置され、熱交換された空気はファン８により吹き出し口２に送られ、室内への風向は風速羽根１１によって調節されるようになっている。スタビライザ１０とリアガイダ９は各々の熱交換器７から落下する除湿水を受けるドレンパンであると同時に前記送風路３の一部を構成する壁でもある。
【０００３】
スタビライザの先端部１２には、ファン８に面した側に突端１３を、また熱交換器７に面した側にファン８の回転方向に延びた吸い込み流れガイドの尖端１４を配置している。突端１３は、スタビライザ１０とファン８の距離が最短となるポイントである。スタビライザ先端部１２のファン８側は突端１３から尖端１４に向けて徐々に空気の流路を拡大させ、また熱交換器側において熱交換器との最短距離点より先端に向けて徐々に空気の流路を拡大させた構成となっている。
【０００４】
このように構成された空気調和機の室内ユニットにおいて以下その動作について説明する。ファン８を駆動させると前面カバー４の吸い込み口１から流入され吹き出し口２から排出される主流の空気流れのほかにスタビライザの先端部１２へファン８の回転方向に漏れ流れが生じる。その漏れ流れが再びファン８に流入する流れと熱交換器７から流入する流れが吸い込み流れの尖端１４の上方で衝突する。
【０００５】
また特開平７−１９０４０３号公報に記載されているように図７によればリアガイダ９の吸い込み側の先端部には背面側の除湿水処理を行う水受け皿１５が設けられており、その水受け皿１５の先端部のツバ１６のファン８側には略半円柱のアール１７が配設されている。
【０００６】
【発明が解決しようとする課題】
しかしながら、上記のような構成を有する横断流送風機は、スタビライザの先端部１２で吸い込み流れが円滑に流れるものの、スタビライザの先端部１２全体がファン８に近づくためファン８との干渉による騒音が生じやすく、また漏れ流れと熱交換器７からの流入した空気とが合流する際の衝突が激しくなり、流量性能が低下するという課題を有していた。
【０００７】
またファン８との最短距離点にある突端１３のアールが大きいと漏れ流れが生じやすく流量性能が低下するという課題を有していた。
【０００８】
またリアガイダ９の吸い込み側の先端部のファン８側に略半円柱のアール１７を設けると、先端部での吸い込み流れは円滑になるが、ツバ１６のファン８側に凸部ができるため、略半円柱１７下にある程度の死水域の発生は免れない。また水受け皿１５の成形の際、大きい略半円柱１７を成形しようとすればヒケが生じる。そこで略半円柱１７に沿って熱交換器側のツバ１６を薄くすると熱交換器７からの流入空気がツバ１６の背面で円滑に流れないため流量性能が低下するという課題を有していた。
【０００９】
本発明は上記従来の課題を解決するもので、スタビライザの先端部分の形状を改善して流量性能の向上を図ると共に、リアガイダの吸い込み部先端においても最適形状により流量性能の向上と、騒音低下を図ることを目的とするものである。
【００１０】
【課題を解決するための手段】
上記課題を解決するために本発明は、前記スタビライザが前記クロスフローファンの回転方向に延びて前記クロスフローファンとの距離が最短となる第１の突端を具備し、この第１の突端よりクロスフローファンの回転方向の先端部にこの第１の突端と同形状でクロスフローファンとの距離を最短距離より大きくとる第２の突端を有するとともに、前記熱交換器は前記クロスフローファンの前面側と背面側に配置され、背面側に配置された熱交換器の除湿水処理をする水受け皿のツバは、前記クロスフローファンに対向して湾曲状、かつ、先端から下方に向けて徐々に断面厚さを増すように形成されたことを特徴とするものである。
【００１１】
【発明の実施の形態】
請求項１に記載の発明は、前記スタビライザが前記クロスフローファンの回転方向に延びて前記クロスフローファンとの距離が最短となる第１の突端を具備し、この第１の突端よりクロスフローファンの回転方向の先端部にこの第１の突端と同形状でクロスフローファンとの距離を最短距離より大きくとる第２の突端を有するもので、この構成にすれば、スタビライザ先端において熱交換器からの吸い込み流れを円滑にすることができ、かつ先端部全体がファンに接近しないため干渉音を抑制することができる。
【００１２】
また、熱交換器は前記クロスフローファンの前面側と背面側に配置され、背面側に配置された熱交換器の除湿水処理をする水受け皿のツバは、前記クロスフローファンに対向して湾曲状、かつ、先端から下方に向けて徐々に断面厚さを増すように形成されたことを特徴とするものである。
【００１３】
これにより、確実に除湿水を処理するためには、ツバにある程度の長さが必要となってくるが、一方、ツバに長さをもたせることで背面熱交換器から入る流れはツバに衝突し、円滑な流入を妨げられる。しかしながら、ツバをクロスフローファンに対向して湾曲状、かつ、先端から下方に向けて徐々に断面厚さを増すように形成することで、背面側に配置された熱交換器から流入した空気のツバとの衝突は緩和され、前記背面側熱交換器からの吸い込み流れを円滑にすることができ、また、水受け皿先端においても、吸い込み流れが円滑となり、そのためファン側においても死水域が生じることなくなり、ファン側への流入もスムーズになることから流量性能の向上が図れるものである。
【００１４】
【実施例】
以下、本発明の実施例について図面を参照して説明する。
【００１５】
図１は、本発明の第１の実施例の横断面図、図２は同外観斜視図である。概略の流れ及び構成を説明すると、前面カバー４及び本体台枠５に設けられた吸い込み口１から室内空気が吸い込まれ、前面カバー４の内面に沿わせて設けられている着脱自在なエアーフィルタ６を、さらに熱交換器７を通過して、ファン８に吸い込まれる。さらにファン８に吸い込まれた空気はファン８の背面に配設されたリアガイダ９とその下方に配設されたスタビライザ１０とで形成される送風路３を通過して吹き出し口２から放出される。吹き出し口２には風速羽根１１があり風向を調節できる。スタビライザとファンの最短距離点には第１の突端１３があり、この第１の突端１３よりクロスフローファンの回転方向の先端部にこの第１の突端１３と同形状でファン８との距離を最短距離より大きくとる第２の突端１８が設けてあり、この第２の突端１８は前記第１の突端１３よりファン８からの距離が大きいためファンとの干渉音を極力抑えることができる。
【００１６】
図３は、本発明の第２の実施例のスタビライザの横断面図である。図１に示したものと同様の構成には同様の番号を付し説明を省略する。図３ではファン径はφ＝８６ｍｍ、ファン８との最短距離点の突端１３はファン側に凸にＲ＝０．１ｍｍとなっている。この構成によりスタビライザ１０の漏れ流れがファン８へ円滑に流れる。Ｒ＜０．１ｍｍでは成形不可能である。図４にファン径をｒ、突端１３のファンに最も近い部分の半径をＲとしたときのＲ／ｒ比と流量性能の関係図を示す。Ｒ／ｒ＞５．８２×１０-3では流れが突端１３に沿って流れやすくなり、漏れ流れが多く生じるため流量性能が著しく劣化する。
【００１７】
図５は、本発明の第３の実施例の横断面図である。図１に示したものと同様の構成には同様の番号を付し説明を省略する。前記リアガイダ９の吸い込み部分の先端は背面熱交換器７ａから落下する除湿水を受ける水受け皿１５のツバ１６の機能も果たしている。背面側に熱交換器７ａを配置した場合、この背面側の熱交換器７ａからの吸い込み流量を確保するには背面側熱交換器７ａとファン８の間に障害物がないことが望ましいが、より確実に除湿水を処理するためにはツバ１６にある程度の長さが必要となってくる。ツバ１６に
長さをもたせることで背面熱交換器７ａから入る流れはツバ１６に衝突し、円滑な流入を妨げられるが、図３のようにツバ１６の先端から下方に向けて徐々に断面厚さを増すことで衝突は緩和され、かつファン８側にも死水域が生じることなく流入もスムーズになることから流量性能の向上が図れる。またこのツバの最大厚さｔは金型で成形した際ヒケの生じることのない約ｔ＝３ｍｍにしてある。
【００１８】
【発明の効果】
本発明は上記の説明から明らかなように、請求項１記載の発明によれば、前記スタビライザは前記クロスフローファンの回転方向に延びて前記クロスフローファンとの距離が最短となる第１の突端を具備し、この第１の突端よりクロスフローファンの回転方向の先端部にこの第１の突端と同形状でクロスフローファンとの距離を最短距離より大きくとる第２の突端を有するもので、熱交換器からの空気の流入が円滑になり、かつ空気の漏れ流れが防止できるので流量性能が向上し、またファンとの干渉音も抑制できるため、低騒音の空気調和機を提供できる。
【００１９】
また、熱交換器は前記クロスフローファンの前面側と背面側に配置され、背面側に配置された熱交換器の除湿水処理をする水受け皿のツバは、前記クロスフローファンに対向して湾曲状、かつ、先端から下方に向けて徐々に断面厚さを増すように形成されたことを特徴とするものである。
【００２０】
これにより、背面側に配置された熱交換器からの空気流れを円滑にすることができるので流量性能の向上が図られる。
【図面の簡単な説明】
【図１】  （ａ）本発明の第１の実施例の空気調和機の室内ユニットの横断面図
（ｂ）同第１の実施例のスタビライザ付近の拡大断面図
【図２】  本発明の第１の実施例の空気調和機の室内ユニット外観斜視図
【図３】  （ａ）本発明の第２の実施例の空気調和機の室内ユニットの横断面図
（ｂ）同第２の実施例のスタビライザ付近の拡大断面図
【図４】  本発明のファン径、スタビライザの突端部の半径比と流量性能の関係図
【図５】  （ａ）本発明の第３の実施例の空気調和機の室内ユニットの横断面図
（ｂ）同第３の実施例の水受け皿付近の拡大断面図
【図６】  （ａ）従来技術の空気調和機の室内ユニットの横断面図
（ｂ）同要部拡大断面図
【図７】  （ａ）従来技術の空気調和機の室内ユニットの横断面図
（ｂ）同要部拡大断面図
【符号の説明】
１  吸い込み口
２  吹き出し口
３  送風路
４  前面カバー
５  本体台枠
６  エアーフィルタ
７  熱交換器
８  ファン
９  リアガイダ
１０  スタビライザ
１１  風速羽根
１２  スタビライザの先端部
１３  スタビライザとファンとの最短距離の第１の突端
１４  スタビライザと熱交換器の最短距離の尖端
１５  水受け皿
１６  水受け皿のツバ
１７  ツバ先端の略半円柱のアール
１８  スタビライザ先端の第２の突端
【図１】
0003635827.tif 000002
【図２】
0003635827.tif 000003
【図３】
0003635827.tif 000004
【図４】
0003635827.tif 000005
【図５】
0003635827.tif 000006
【図６】
0003635827.tif 000007
【図７】
0003635827.tif 000008